(57)【要約】      （修正有）【課題】ノートパソコンをより簡単に設置することが可能なノートパソコン用外付けモニターを提供する。【解決手段】ノートパソコン２の画面を表示する外付けモニター１であって、ノートパソコン２の画面を表示する表示面１１と、表示面１１と反対側の裏面１２と、を含む表示部１０と、ノートパソコン２が載置される基台部２０と、表示部１０を基台部２０に対して支持する支持部３０であって、基台部２０に接続された一端部３０Ａと裏面１２に接続された他端部３０Ｂとを含む支持部３０と、を備える。裏面１２と支持部３０との間には、ノートパソコン２の表示部２Ｂを収容可能な大きさを有する空間Ｓ１であって、表示面１１に沿ってノートパソコン２の表示部２Ｂを挿入可能なように開放された空間Ｓ１が形成されている。【選択図】図４
0003229910.tif 000002
【実用新案登録請求の範囲】
【請求項１】
ノートパソコンの画面を表示する外付けモニターであって、
前記ノートパソコンの画面を表示する表示面と、前記表示面と反対側の裏面と、を含む表示部と、
前記ノートパソコンが載置される基台部と、
前記表示部を前記基台部に対して支持する支持部であって、前記基台部に接続された一端部と前記裏面に接続された他端部とを含む前記支持部と、を備え、
前記裏面と前記支持部との間には、前記ノートパソコンの表示部を収容可能な大きさを有する空間であって、前記表示面に沿って前記ノートパソコンの前記表示部を挿入可能なように開放された前記空間が形成されている、ノートパソコン用外付けモニター。
【請求項２】
前記基台部は、前記ノートパソコンのキーボード部が載置される載置面を含み、
前記載置面は、前記表示面に近づくに従って高くなるように上向きに傾斜している、請求項１に記載のノートパソコン用外付けモニター。
【請求項３】
前記載置面の傾斜に沿って前記ノートパソコンが滑り落ちるのを防止する滑り止め手段をさらに備えた、請求項１又は２に記載のノートパソコン用外付けモニター。
【請求項４】
前記支持部の前記他端部は、前記裏面のうち上下方向の中央よりも上側の部位に接続されている、請求項１〜３のいずれか１項に記載のノートパソコン用外付けモニター。
【請求項５】
前記ノートパソコンと通信接続するためのコネクタ部をさらに備えた、請求項１〜４のいずれか１項に記載のノートパソコン用外付けモニター。
【請求項６】
前記表示部に取り付けられたカメラをさらに備えた、請求項１〜５のいずれか１項に記載のノートパソコン用外付けモニター。
【考案の詳細な説明】
【技術分野】
【０００１】
本考案は、ノートパソコン用外付けモニターに関する。
【背景技術】
【０００２】
従来、特許文献１に記載されているように、パソコン用のディスプレイとして種々のタイプのものが知られている。
【０００３】
特許文献１には、ノートパソコンに接続して利用される表示装置が記載されている。この表示装置は、液晶表示装置等の表示パネルと、表示パネルを保持するハウジングと、ハウジングを軸支する第１スタンド及び第２スタンドと、を備えている。この表示装置では、ハウジングの底面の下側に空間が形成されており、ノートパソコンの先端を当該空間から表示パネルの裏面側に向かって挿入可能となっている。また特許文献２には、角度変更可能に構成された液晶ディスプレイ用のアームスタンドが記載されている。
【先行技術文献】
【特許文献】
【０００４】
【特許文献１】特開平１１−２１９１２３号公報
【特許文献２】特開２０００−２６７５８１号公報
【考案の概要】
【考案が解決しようとする課題】
【０００５】
特許文献１に記載された表示装置では、まず、ノートパソコンを開いた状態（表示部とキーボード部との成す角度が略１８０度になる状態）とし、この状態でノートパソコンの先端を外付けモニターの下側の空間から挿入し、その後ノートパソコンの表示部をキーボード部に対して折り返す必要がある。このように、従来のノートパソコン用外付けモニターは、ノートパソコンの設置作業が煩雑化し易いという課題がある。
【０００６】
本考案は、上記課題に鑑みてなされたものであり、その目的は、ノートパソコンをより簡単に設置することが可能なノートパソコン用外付けモニターを提供することである。
【課題を解決するための手段】
【０００７】
本考案の一局面に係るノートパソコン用外付けモニターは、ノートパソコンの画面を表示する外付けモニターであって、前記ノートパソコンの画面を表示する表示面と、前記表示面と反対側の裏面と、を含む表示部と、前記ノートパソコンが載置される基台部と、前記表示部を前記基台部に対して支持する支持部であって、前記基台部に接続された一端部と前記裏面に接続された他端部とを含む前記支持部と、を備える。前記裏面と前記支持部との間には、前記ノートパソコンの表示部を収容可能な大きさを有する空間であって、前記表示面に沿って前記ノートパソコンの前記表示部を挿入可能なように開放された前記空間が形成されている。
【０００８】
この構成によれば、ノートパソコンの表示部を、外付けモニターの表示部の裏面側の空間に収容することができる。このため、ノートパソコンを外付けモニターの前に設置する場合に比べて机上を省スペース化することができ、またノートパソコンの表示部が外付けモニターの表示部を遮ることもない。しかも、ノートパソコンを外付けモニターの表示面に沿って横方向から当該空間に挿入することができるため、従来の外付けモニターとは異なりノートパソコンを一旦開いた後に折り返す必要もない。このため、本考案によれば、ノートパソコンをより簡単に設置することが可能になる。
【０００９】
上記ノートパソコン用外付けモニターにおいて、前記基台部は、前記ノートパソコンのキーボード部が載置される載置面を含んでいてもよい。前記載置面は、前記表示面に近づくに従って高くなるように上向きに傾斜していてもよい。
【００１０】
この構成によれば、載置面が平坦である場合に比べてタイピングをより行い易くなる。
【００１１】
上記ノートパソコン用外付けモニターは、前記載置面の傾斜に沿って前記ノートパソコンが滑り落ちるのを防止する滑り止め手段をさらに備えていてもよい。
【００１２】
この構成によれば、ノートパソコンをより安定に設置することができる。
【００１３】
上記ノートパソコン用外付けモニターにおいて、前記支持部の前記他端部は、前記裏面のうち上下方向の中央よりも上側の部位に接続されていてもよい。
【００１４】
この構成によれば、表示部がより安定に支持されると共に、ノートパソコンの表示部の収容スペースをより広く確保することが可能になる。
【００１５】
上記ノートパソコン用外付けモニターは、前記ノートパソコンと通信接続するためのコネクタ部をさらに備えていてもよい。
【００１６】
上記ノートパソコン用外付けモニターは、前記表示部に取り付けられたカメラをさらに備えていてもよい。
【考案の効果】
【００１７】
以上の説明から明らかなように、本考案によれば、ノートパソコンをより簡単に設置することが可能なノートパソコン用外付けモニターを提供することができる。
【図面の簡単な説明】
【００１８】
【図１】本考案の実施形態１に係るノートパソコン用外付けモニターの構成を模式的に示す正面図である。
【図２】上記ノートパソコン用外付けモニターの構成を模式的に示す側面図である。
【図３】上記ノートパソコン用外付けモニターにノートパソコンが設置された状態を模式的に示す正面図である。
【図４】上記ノートパソコン用外付けモニターにノートパソコンが設置された状態を模式的に示す側面図である。
【図５】本発明の実施形態２に係るノートパソコン用外付けモニターの構成を模式的に示す側面図である。
【図６】本発明の実施形態３に係るノートパソコン用外付けモニターの構成を模式的に示す側面図である。
【考案を実施するための形態】
【００１９】
以下、図面に基づいて、本考案の実施形態に係るノートパソコン用外付けモニターの構成を詳細に説明する。
【００２０】
（実施形態１）
まず、本考案の実施形態１に係るノートパソコン用外付けモニター１（以下、単に「外付けモニター１」とも称する）の構成を、図１〜図４に基づいて説明する。外付けモニター１は、ノートパソコン２の画面をより大画面で表示するためのモニターであり、机面３上に置かれた状態で使用される。図１に示すように、外付けモニター１は、表示部１０と、基台部２０と、支持部３０とを主に備える。
【００２１】
表示部１０は、例えば液晶ディスプレイパネル等からなるパネル部１３と、当該パネル部１３の外周を囲うフレーム１４とを含む。図１に示すように、パネル部１３は、正面視横長の略矩形状からなり、ノートパソコンの画面を表示する表示面１１を含む。なお、パネル部１３は、液晶ディスプレイパネルからなるものに限定されず、例えば有機ＥＬパネルからなるものでもよい。
【００２２】
フレーム１４は、例えば樹脂製の枠体であり、パネル部１３の外周に沿った形状を有する。図２に示すように、フレーム１４は、前後方向において表示面１１と反対側の裏面１２を含む。
【００２３】
基台部２０は、ノートパソコン２を載置するための部分であり、前後及び左右の各方向に所定の幅を有する。基台部２０は、机面３上に設置される。図４に示すように、ノートパソコン２は、キーボード部２Ａと表示部２Ｂとを含み、表示部２Ｂがキーボード部２Ａの後端部２Ｃを支点として開くように構成されている。基台部２０は、ノートパソコン２のキーボード部２Ａが載置される載置面２１を含む。
【００２４】
図４に示すように、本実施形態における載置面２１は、表示面１１に近づくに従って（後方に向かって）高くなるように一定の角度で上向きに傾斜している。これにより、ユーザーがキーボード部２Ａのタイピングを行い易くなっている。しかし、基台部の載置面は、本実施形態のような傾斜面に限定されず、例えば平坦面でもよい。
【００２５】
支持部３０は、表示部１０を基台部２０に対して支持する部分である。図２に示すように、支持部３０は、基台部２０の後端部に接続された一端部３０Ａと、表示部１０の裏面１２に接続された他端部３０Ｂとを含む。より具体的には、支持部３０は、基台部２０の後端部から上向きに延びる垂直アーム部３１と、当該垂直アーム部３１の上端部から表示部１０の裏面１２に向かって前方に延びる水平アーム部３２とを含む。
【００２６】
図２に示すように、本実施形態では、支持部３０の他端部３０Ｂは、表示部１０の裏面１２のうち上下方向の中央よりも上側の部位に接続されている。これにより、表示部１０を支持部３０によってより安定に支持することができる。しかし、他端部３０Ｂの接続位置はこれに限定されず、例えば裏面１２のうち上下方向の中央部に他端部３０Ｂが接続されていてもよい。
【００２７】
図４に示すように、裏面１２のうち他端部３０Ｂの接続位置よりも下側の部位と垂直アーム部３１との間には、ノートパソコン２の表示部２Ｂを収容可能な大きさを有する空間Ｓ１が形成されている。空間Ｓ１は、表示部１０の後方に設けられており、左右方向に長い略直方体空間である。すなわち、空間Ｓ１は、上下、前後及び左右の各方向に所定の幅を有する。
【００２８】
空間Ｓ１を設けることにより、外付けモニター１の表示部１０に対してノートパソコン２の表示部２Ｂが後方で重なるように、ノートパソコン２を載置面２１上に設置することができる。このとき、ノートパソコン２の表示面２ＢＢと外付けモニター１の裏面１２との間の前後方向の距離Ｄは、例えば１ｃｍ以下となる。
【００２９】
空間Ｓ１は、表示面１１に沿ってノートパソコン２の表示部２Ｂを挿入可能なように左右方向に開放されている。すなわち、図４に示すように、空間Ｓ１には、側面視縦長の矩形状の開放部Ｏ１が設けられており、当該開放部Ｏ１からノートパソコン２を略９０度に折り返した状態のまま空間Ｓ１に挿入することができる。なお、図４は、外付けモニター１の左側面図であるが、空間Ｓ１には右側の開放部も同様に設けられており、当該右側の開放部からノートパソコン２を空間Ｓ１に挿入することも可能である。
【００３０】
外付けモニター１は、ノートパソコン２と通信接続するためのコネクタ部４０をさらに備えている（図２）。コネクタ部４０は、例えばＶＧＡ又はＨＤＭＩ（登録商標）コネクタであり、図２に示すように基台部２０の左側面のうち後方の部位に設けられている。また基台部２０には、例えばＵＳＢコネクタ等の外部カメラ接続用コネクタ部４１が、当該コネクタ部４０に隣接して設けられている。これらのコネクタ部は、ケーブル４２，４３によりノートパソコン２に接続される。なお、これらのコネクタ部の位置は特に限定されない。
【００３１】
外付けモニター１は、例えばウェブ会議等に用いられるカメラ５０をさらに備えている。図１に示すように、本実施形態では、カメラ５０は、表示部１０のうちフレーム１４の上枠部における左右方向の略中央部に取り付けられている。しかし、カメラ５０は、図１の位置に取り付けられる場合に限定されない。またカメラ５０は、表示部１０の上面に設置されてもよい。
【００３２】
以上の通り、本実施形態に係る外付けモニター１によれば、ノートパソコン２の表示部２Ｂを、外付けモニター１の表示部１０の裏面１２側の空間Ｓ１に収容することができる。このため、ノートパソコン２を外付けモニター１の前に設置する場合に比べて、机面３上の省スペース化を図ることができる。またこの場合、ノートパソコン２の表示部２Ｂが外付けモニター１の表示部１０を遮ることもなくなる。さらに、ノートパソコン２を外付けモニター１の表示面１１に沿って横方向から空間Ｓ１に挿入することができるため、ノートパソコン２を開いた状態のまま基台部２０上に設置することができる。
【００３３】
（実施形態２）
次に、本考案の実施形態２に係るノートパソコン用外付けモニター１Ａの構成を、図５に基づいて説明する。実施形態２は、基本的に上記実施形態１と同様であるが、滑り止め手段６０をさらに備えている点で異なっている。以下、実施形態１と異なる点についてのみ説明する。
【００３４】
外付けモニター１Ａは、載置面２１の傾斜に沿ってノートパソコン２が滑り落ちるのを防止する滑り止め手段６０を備えている。本実施形態における滑り止め手段６０は、滑り止めシートである。図５に示すように、載置面２１に複数枚の滑り止めテープが滑り止め手段６０として貼り付けられている。これにより、ノートパソコン２を載置面２１上に設置したときに、ノートパソコン２の位置ずれをより確実に防止することができる。
【００３５】
（実施形態３）
次に、本考案の実施形態３に係るノートパソコン用外付けモニター１Ｂの構成を、図６に基づいて説明する。実施形態３は、基本的に上記実施形態２と同様であるが、滑り止め手段６１が出っ張りによって構成されている点で異なっている。以下、実施形態２と異なる点についてのみ説明する。
【００３６】
本実施形態における滑り止め手段６１は、載置面２１のうち前後方向の中央よりも前方の部位において当該載置面２１から立設された出っ張りにより構成されている。これにより、図６に示すように、ノートパソコン２のキーボード部２Ａの前端部が滑り止め手段６１に当接し、ノートパソコン２の位置ずれを防止することができる。この場合、載置面２１に滑り止めテープの貼り跡が残ることもない。また、滑り止め手段６１の前後方向の位置が可変であってもよい。
【００３７】
今回開示された実施形態は、全ての点で例示であって、制限的なものではないと解されるべきである。本考案の範囲は、上記した説明ではなくて実用新案登録請求の範囲により示され、実用新案登録請求の範囲と均等の意味及び範囲内での全ての変更が含まれることが意図される。
【符号の説明】
【００３８】
１  ノートパソコン用外付けモニター
２  ノートパソコン
２Ａ  キーボード部
２Ｂ，１０  表示部
１１  表示面
１２  裏面
２０  基台部
２１  載置面
３０  支持部
３０Ａ  一端部
３０Ｂ  他端部
４０  コネクタ部
５０  カメラ
６０，６１  滑り止め手段
Ｓ１  空間
【図１】
0003229910.tif 000003
【図２】
0003229910.tif 000004
【図３】
0003229910.tif 000005
【図４】
0003229910.tif 000006
【図５】
0003229910.tif 000007
【図６】
0003229910.tif 000008